(57)【要約】【課題】  強力なばね等を使用する玩具銃であっても、より軽快な操作で弾丸を発射可能とする。【解決手段】  ピストンシリンダー機構を有し、コッキング状態にあるピストンを掛け止め、引き金を引く操作により、掛け止めを解除するシア部材を有する圧縮ポンプ式玩具銃において、引き金３３を引く操作により異なる位置を取るように、中間部材２５を銃本体１１に設けるとともに、中間部材２５にシア部材２３を取り付け、引き金３３を引かない状態では、中間部材２５を或る位置に支持し、シア部材２３がピストン１５を掛け止める、一方、引き金３３を引いたときに、中間部材２５を梃子作用により他の位置に移動させるのに伴ない、シア部材２３による掛け止めを外すようにする。【選択図】          図１
2005114260.tif 000002
【特許請求の範囲】
【請求項１】
ピストンシリンダー機構を有し、コッキング状態にあるピストンを掛け止め、引き金を引く操作により、掛け止めを解除するシア部材を有する圧縮ポンプ式玩具銃において、
引き金を引く操作に応じて異なる位置を取るように、中間部材を銃本体に設けるとともに、中間部材にシア部材を取り付け、引き金を引かない状態では、中間部材を或る位置に支持し、シア部材がピストンを掛け止める、一方、引き金を引いたときに、中間部材を梃子作用により他の位置に移動させるのに伴ない、シア部材による掛け止めを外すようにしたことを特徴とする圧縮ポンプ式玩具銃における引き金装置。
【請求項２】
シア部材はピストンの移動を止めるときに移動部内へ突出し、ピストンを通過させるときに移動部外に没入する、出没可能な動作を行う請求項１記載の圧縮ポンプ式玩具銃における引き金装置。
【請求項３】
シア部材は、中間部材に回転可能に軸支され、かつピストンを掛け止める方向へばね付勢されている請求項２記載の圧縮ポンプ式玩具銃における引き金装置。
【請求項４】
シア部材は、ピストンの移動方向に対して交差方向に移動すること、及び中間部材もピストンの移動方向に対して交差方向に移動すること、さらに、中間部材を梃子とするとき、作用点にシア部材を配置し、力点に引き金を配置することを特徴とする請求項１記載の圧縮ポンプ式玩具銃における引き金装置。
【請求項５】
中間部材は、銃本体の前後方向に配置され、前後いずれかの端部を支点として下方移動可能に軸支され、かつ上方へ付勢されており、中間部材に、引き金と係合可能な係合部と、引き金を引く操作により上部が入り込んで中間部材の下方移動を可能とする溝部とを有している請求項４記載の圧縮ポンプ式玩具銃における引き金装置。
【発明の詳細な説明】
【技術分野】
【０００１】
本発明は、ピストンシリンダー機構を有し、コッキング状態にあるピストンを掛け止
め、引き金を引く操作により、掛け止めを解除するシア部材を有する圧縮ポンプ式玩具銃における引き金装置に関するものである。
【背景技術】
【０００２】
圧縮ポンプ式の玩具銃において、ピストンを押すばねの圧縮力が強い場合には、ピストンを掛け止めているシアと呼ばれる掛止部材を、引き金操作により解除させるときに、引き金操作にも強い力が必要であった。特にボルトアクション式と呼ばれるタイプの銃では強力なばねを使用するため、強い引き金操作力が必要となり、扱いにくいものとなる傾向がある。
【０００３】
狙いを定めて引き金を引くときに、軽く引いてピストンが作動するほどスムーズな発射となり、引き金が重ければ命中精度にも影響する傾向となる。引き金を引く力を軽くするには、引き金とピストンとを連絡している部材の掛け止め部の接触形状や圧力などを改造してやれば良いが、掛け止め量を十分に確保することができなければ、僅かな衝撃が伝わるだけでも引き金が落ちてしまい、暴発に陥り易いという問題がある。
【０００４】
【特許文献１】特開平８−１４５５９９号
【発明の開示】
【発明が解決しようとする課題】
【０００５】
本発明は前記の点に着目してなされたもので、その課題は、例えばボルトアクション式と呼ばれる強力なばね等を使用する玩具銃であっても、より軽快な操作で弾丸を発射させることを可能にする点にある。また本発明の他の課題は、発射を望まないときには発射操作がされず、高い安全性が得られるようにすることである。
【課題を解決するための手段】
【０００６】
前記の課題を解決するため、本発明は、ピストンシリンダー機構を有し、コッキング状態にあるピストンを掛け止め、引き金を引く操作により、掛け止めを解除するシア部材を有する圧縮ポンプ式玩具銃において、引き金を引く操作に応じて異なる位置を取るよう
に、中間部材を銃本体に設けるとともに、中間部材にシア部材を取り付け、引き金を引かない状態では、中間部材を或る位置に支持し、シア部材がピストンを掛け止める、一方、引き金を引いたときに、中間部材を梃子作用により他の位置に移動させるのに伴ない、シア部材による掛け止めを外すようにするという手段を講じたものである。
【０００７】
本発明の玩具銃は、ピストンシリンダー機構を、圧縮エアを得るための圧縮ポンプとして利用する形態を取るものであり、ピストンはコッキング操作により後退位置に配置されて、シア部材によりその位置に掛け止めて置かれ、掛け止めが解除されると、付勢力によりピストンが前進し、圧縮エアを噴射する。従って、ピストンの前進によりエアを噴射するノズルがピストンシリンダー機構に備わっており、ノズルから噴射される圧縮エアにより弾丸を発射し得るものとなる。
【０００８】
シア部材は、ピストンをその付勢力に対抗して掛け止めておく部材であり、また掛け止めを解除する部材でもある。シア部材はピストンの掛け止めのために、ピストンの掛け止め箇所よりも前に位置しなければならず，解除のためには掛け止めた箇所を前方へ通過させなければならないので、シア部材はピストンの移動を止めるときに移動部内へ突出し、ピストンを通過させるときに移動部外に没入する、出没可能な動作を行えることが望ましい。
【０００９】
本発明では、ピストンを駆動する圧縮ばねなどの付勢力を直接受けるシア部材と、引き金との間に中間部材を設けて、シア部材の受けている強力な付勢力が引き金に直接及ぶのを回避している。シア部材は、ピストンの移動方向に対して交差方向に移動すること、及び中間部材もピストンの移動方向に対して交差方向に移動すること、さらに、中間部材を梃子に見たてて、作用点にシア部材を配置し、力点に引き金を配置することは望ましい構成である。
【００１０】
このような中間部材は、引き金が銃本体の下部に配置される一般的な形態の下では、銃本体の前後方向に延びる形態を有するとともに、銃本体の前後方向に、前後いずれかの端部を支点として下方へ移動に軸支され、かつ上方へばね手段等により付勢される配置を取ることができる。この場合、中間部材に、引き金と係合可能な係合部を設け、また引き金を引く操作により上部が入り込んで中間部材の下方移動を可能とする凹部を設けることが望ましい。
【発明の効果】
【００１１】
本発明は上記の如く構成されかつ作用するものであるから、特にボルトアクション式と呼ばれる強力なばねを使用するタイプの玩具銃において、ピストンを強力な作用力で付勢する場合であっても、シア部材を中間部材に取り付け、その中間部材を引き金によって操作するので、中間部材の梃子作用により、軽快な操作で弾丸を発射させることができるという効果を奏し、また、ピストンとシア部材との掛け止め、中間部材と引き金の係合、ともに十分な量を適用することができるので、衝撃などで掛け止めや係合が外れる恐れはなく、高い安全性を得ることができる。
【発明を実施するための最良の形態】
【００１２】
以下図面を参照して本発明をより詳細に説明する。図１は、本発明に係る圧縮ポンプ式玩具銃１０の要部断面を示しており、１１は銃本体、１２は銃身部、１３はその後方に設けられたピストンシリンダー機構で、シリンダー１４とその内部を摺動可能なピストン１５とを有している。ピストン１５は銃本体側のストッパー１６との間に設けられた強力な圧縮ばね１７の作用力により前方へ付勢されている。１８はばねガイド、１９はハンドルを示しており、シリンダー後端部２０より側方へ突出するように設けられている。また、２１はシリンダー先端部のノズルを示す。
【００１３】
ピストン１５は、前方を向いて傾斜した掛け止め部２２を後部に有しており、掛け止め部２２には、シア部材２３が掛け止められる。例示のシア部材２３は、支軸２４により中間部材２５に回転可能に軸支されている。中間部材２５は銃本体１１に支点軸２６により回転可能に軸支されている。例示の中間部材２５は、前端部に支点軸２６を配置し、後端部に後述する引き金３３との係合部３１を配置し、それらの中間部にシア部材２３を配置してるので、力点である係合部３１と支点軸２６との間の長さと、作用点であるシア部材２３と支点軸２６との間の長さの比率に応じた梃子作用を得ることができ、引き金３３にかかる力の設定も計算により容易に行える。
【００１４】
またシア部材２３には、掛け止め部２２との係合方向に作用するばね２７が設けられているが、シア部材２３は後方へ傾斜した部分でピストン後部と接触するので、ピストン１５の後退により移動線の下方へ回転し、シア部材２３のためにシリンダー１４に形成されているスリット２８の方へ没入するようになる。中間部材２５には、それを銃本体１１の規定面２９に押圧する方向に作用するばね３０が設けられている。中間部材２５には、さらに、引き金３３の上部３４と係合可能な係合部３１と凹部３２とが後部に設けられている。係合部３１は先端が下がる向きに傾斜しており、引き金３３の上部３４も同じ向きに傾斜しているので、離脱過程における係合圧力は変わらず、引き金３３が落ちるタイミングを把握し易く、暴発もしにくい。３５は引き金戻しばね、３６は支軸を示している。引き金３３から指を離したとき、上部３４は凹部３２にて係合部側と引っ掛かるが、戻しばね３５により元の位置（図１の状態）に戻る。
【００１５】
なお、銃身部１２には、銃腔を有する内部銃身３７が設置されており、銃身後端の部分は、シリンダー先端部のノズルが嵌合する嵌合口３８になっている。嵌合口３８には、弾丸供給系３９が接続しており、ＢＢ弾などと称される球形の弾丸４０を、ノズル後退毎に１発ずつ装弾部に装填することができるようになっている。そして、弾丸供給系３９から供給された弾丸４０は、ノズル先端部で嵌合口３８より装弾部へ押し出される構成を有している。図中、４１はシリンダースライドの減摩リング、４２はピストンリングを夫々示す。
【００１６】
このような構成を有する本発明の圧縮ポンプ式玩具銃１０の作動について説明する。図１は、ピストンシリンダー機構１３が非コッキング状態にあり、かつ１発の弾丸４０が装弾部に装填されている状態を示している。図２はピストン１５が、ハンドル１９の操作によって後退しつつあり（そのためハンドル１９は図２の左方にあって図示されていない。）、ピストン後退時の接触によりシア部材２３が移動部外に押し下げられて、通過しようとする状態を示す。ハンドル１９を引く操作によって後退するピストン１５がシア部材２３を通過すると（図３）、掛け止め部２２にてピストン１５をシア部材２３が掛け止め得る状態となる。
【００１７】
コッキング状態に置かれたピストンシリンダー機構１３のシリンダー１４は前方へ戻され（図４）、それとともにコッキング操作中に嵌合口３８に供給されている弾丸４０が装弾部に装填される。この状態から引き金３３を引くと、引き金３３の上部３４が係合部３１から外れ（図５）、凹部３２に入り込もうとする。引き金上部３４が凹部３２へ移行することによって、中間部材２５は規定面２９から離れることができる状態となり、この図５の状態において、ピストン１５に作用している強力な圧縮ばね１７の作用下にあるシア部材２３と掛け止め部２２の間の傾斜した接触面にずれを生じ、シア部材２３は負けて押し下げられ、ここにピストン１５が一気に前進することになる。図６の状態である。ピストン１５の前進により圧縮エアを生じ、それによって装弾部にある１発の弾丸４０が発射されることになる。
【００１８】
実際のボルトアクション銃や玩具エア銃においてボルトアクション銃と類似の構造を有するものでは、弾丸を１発発射した後、引き金は引いたままの状態となり、シアが邪魔をするため元の位置へ引き金を戻すことができない。しかし本発明のものは、ピストン前進によりシア部材２３がフリーになり、中間部材３５が規定面２９に接触する状態となるので、引き金３３は戻しばね３５の付勢力によって原位置へ直ちに戻り得る状態となり、引き金をセットする手間が不必要となる。
【図面の簡単な説明】
【００１９】
【図１】本発明の圧縮ポンプ式玩具銃における引き金装置の実施形態の１例を示す部分断面図。
【図２】ピストンシリンダー装置のピストンを後退させているコッキング中の状態の断面図。
【図３】同じくコッキング中において、シア部材による掛け止めを行う直前の断面図。
【図４】ピストンがシア部材に掛け止められた状態の断面図。
【図５】引き金が引かれ、上部と係合部との係合が外れようとする状態の断面図。
【図６】引き金の上部が中間部材の凹部に入り込み、シア部材がピストンの掛け止め部から脱して、ピストンが移動を開始した状態を示す断面図。
【符号の説明】
【００２０】
１０  圧縮ポンプ式玩具銃
１１  銃本体
１３  ピストンシリンダー機構
１４  シリンダー
１５  ピストン
１７  圧縮ばね
１９  ハンドル
２２  掛け止め部
２３  シア部材
２５  中間部材
２７、３０  ばね
３１  係合部
３２  凹部
３３  引き金
３４  引き金の上部
３５  引き金の戻しばね
４０  弾丸
【図１】
2005114260.tif 000003
【図２】
2005114260.tif 000004
【図３】
2005114260.tif 000005
【図４】
2005114260.tif 000006
【図５】
2005114260.tif 000007
【図６】
2005114260.tif 000008